(57)【要約】【課題】  光源により直接照明される領域とその周囲の照度差を小さくして、目の負担を低減させることができる電気スタンドを提供すること。【解決手段】    腕体６の先端に設けられた灯具５のセード本体１１の後上部に透光部としての貫通孔１４を設け、前記灯具５に取り付けられた光源としての蛍光灯１０が下方を照射するように、前記セード本体１１の下方の開口部１１Ａが下を向いた状態で、前記蛍光灯１０を点灯することで、机上等の作業領域が充分明るく照明されると共に、この作業領域の周囲が、前記蛍光灯１０から後上方に放射されて前記貫通孔１４を通過し壁面等で乱反射した光によって間接的に照明され、これによって、作業領域だけでなくその周囲も柔らかく照明し、作業領域とその周囲の照度差を小さくして使用者の目の負担を軽減することができる。【選択図】図２
2006244929.tif 000002
【特許請求の範囲】
【請求項１】
腕体と、この腕体の先端側に設けられた灯具と、この灯具に取り付けられた光源とを有する電気スタンドにおいて、
前記灯具が前記光源から放射された光で下方を照射する姿勢の状態で、前記光源から放射された光の一部を前記灯具の上方から後方にかけての範囲に放出させる透光部を前記灯具に設けたことを特徴とする電気スタンド。
【請求項２】
前記透光部の少なくとも一部に貫通孔が形成されていることを特徴とする請求項１記載の電気スタンド。
【請求項３】
腕体と、この腕体の先端側に設けられた灯具と、この灯具に取り付けられた光源とを有する電気スタンドにおいて、
前記灯具が前記光源から放射された光で下方を照射する姿勢の状態で、前記光源から下向きに放射された光の一部を反射して前記灯具の上方から後方にかけての範囲に放出させる反射部を前記灯具に設けたことを特徴とする電気スタンド。
【請求項４】
腕体と、この腕体の先端側に設けられた灯具と、この灯具に取り付けられた第一の光源とを有する電気スタンドにおいて、
前記灯具に取り付けられた第一の光源とは独立して上方から後方にかけての範囲に光を放射する第二の光源を設けたことを特徴とする電気スタンド。
【請求項５】
前記第二の光源が発光ダイオードであることを特徴とする請求項４記載の電気スタンド。
【発明の詳細な説明】
【技術分野】
【０００１】
本発明は、机上等で使用する電気スタンドに関するものである。
【背景技術】
【０００２】
従来、この種の電気スタンドとしては、腕体の先端側に灯具を設け、この灯具に対して光源を着脱自在に取り付け、この光源によって机上等を照明する電気スタンドが知られている。（例えば、特許文献１参照。）。また、アーム（本発明の腕体に該当する）の先端に灯具を回動自在に取り付け、この灯具の姿勢によって、この灯具に取り付けられたランプ（本発明の光源に該当する）から放射された光で直接照明又は間接照明を行うことができるスタンド型照明器具も知られている（例えば、特許文献２参照。）。
【特許文献１】特開２００２−３４３１０５号公報
【特許文献２】特開平７−１３４９０７号公報
【発明の開示】
【発明が解決しようとする課題】
【０００３】
しかしながら、前者のような電気スタンドにおいては、前記光源を点灯させると、前記灯具の下方の比較的狭い領域だけが明るくなり、それ以外の領域との照度差が大きくなってしまうことで、使用者の目に負担をかけてしまうという虞があった。また、後者のような電気スタンドは、直接照明と間接照明を択一的に行うことができるものであり、直接照明を行う場合は前者の電気スタンドと同様の問題がある一方、間接照明を行う場合は、前記光源から放射された光が壁等で乱反射することで目に優しい柔らかい光となるものの、学習や読書や細かい作業等を行うには照度が低すぎて、これらの目的として使用するには不適当なものであった。
【０００４】
本発明は以上の問題点を解決し、光源により直接照明される領域とその周囲の照度差を小さくして、目の負担を低減させることができる電気スタンドを提供することを目的とする。
【課題を解決するための手段】
【０００５】
本発明の請求項１に記載の電気スタンドは、腕体と、この腕体の先端側に設けられた灯具と、この灯具に取り付けられた光源とを有する電気スタンドにおいて、前記灯具が前記光源から放射された光で下方を照射する姿勢の状態で、前記光源から放射された光の一部を前記灯具の上方から後方にかけての範囲に放出させる透光部を前記灯具に設けたものである。
【０００６】
また、本発明の請求項２に記載の電気スタンドは、請求項１において、前記透光部の少なくとも一部に貫通孔が形成されているものである。
【０００７】
また、本発明の請求項３に記載の電気スタンドは、腕体と、この腕体の先端側に設けられた灯具と、この灯具に取り付けられた光源とを有する電気スタンドにおいて、前記灯具が前記光源から放射された光で下方を照射する姿勢の状態で、前記光源から下向きに放射された光の一部を反射して前記灯具の上方から後方にかけての範囲に放出させる反射部を前記灯具に設けたものである。
【０００８】
また、本発明の請求項４に記載の電気スタンドは、腕体と、この腕体の先端側に設けられた灯具と、この灯具に取り付けられた第一の光源とを有する電気スタンドにおいて、前記灯具に取り付けられた第一の光源とは独立して上方から後方にかけての範囲に光を放射する第二の光源を設けたものである。
【０００９】
更に、本発明の請求項５に記載の電気スタンドは、請求項４において、前記第二の光源が発光ダイオードであるものである。
【発明の効果】
【００１０】
本発明の請求項１に記載の電気スタンドは、以上のように構成することにより、前記灯具に取り付けられた光源から放射された光によって前記灯具の下方が直接照明されると共に、前記光源から放射された光の一部が、前記透光部を通して前記灯具の上方から後方にかけての範囲に放出されることで、この光が前記灯具の後方に位置する壁等で乱反射し、前記電気スタンドの周囲を間接照明することで、前記光源による直接照明と同時に間接照明も行い、直接照明される領域とその周囲の照度差を小さくして目の負担を軽減することができる。
【００１１】
また、本発明の請求項２に記載の電気スタンドは、以上のように構成することにより、前記灯具内で加熱された空気が前記貫通孔を通って前記灯具外に放出されるので、間接照明と同時に前記光源の冷却も行うことができる。
【００１２】
また、本発明の請求項３に記載の電気スタンドは、以上のように構成することにより、前記灯具に取り付けられた光源から放射された光によって前記灯具の下方が直接照明されると共に、前記光源から下向きに放射された光の一部が、前記反射部で反射されて前記灯具の上方から後方にかけての範囲に放出されることで、この光が前記灯具の後方に位置する壁等で乱反射し、前記電気スタンドの周囲を間接照明することで、前記光源による直接照明と同時に間接照明も行い、直接照明される領域とその周囲の照度差を小さくして目の負担を軽減することができる。
【００１３】
また、本発明の請求項４に記載の電気スタンドは、以上のように構成することにより、前記灯具に取り付けられた第一の光源から放射された光によって前記灯具の下方が直接照明されると共に、前記第二の光源から放射された光が、前記灯具の上方から後方にかけての範囲に放出されることで、この光が前記灯具の後方に位置する壁等で乱反射し、前記電気スタンドの周囲を間接照明することで、前記第一の光源による直接照明と同時に前記第二の光源による間接照明も行い、直接照明される領域とその周囲の照度差を小さくして目の負担を軽減することができる。
【００１４】
更に、本発明の請求項４に記載の電気スタンドは、以上のように構成することにより、電気スタンドの大型化を最小限に抑えつつ、前記第二の光源を交換する必要性を殆ど無くすことができる。
【発明を実施するための最良の形態】
【００１５】
以下、本発明の第一の実施形態について、図１及び図３に基づいて説明する。なお、図２及び図３において、図面の左側が前である。１は電気スタンドである。この電気スタンド１は、厚い平板状の鋼板等によって形成された基部２と、この基部２の後方に立設された支柱部３と、この支柱部３の上部に設けられた屈曲部４と、この屈曲部４の先端に設けられた灯具５とで構成されている。なお、前記支柱部３と屈曲部４とで腕体６が構成されている。そして、前記支柱部３の内部には、後述する光源としての蛍光灯１０を点灯させるための図示しない点灯回路が収容されていると共に、前記支柱部３の前方には、前記点灯回路のためのスイッチ７が設けられている。また、前記屈曲部４は、柔軟な被覆体８の内部に図示しないフレキシブルシャフトを内蔵して構成されている。そして、このフレキシブルシャフトが自在に屈曲することで、前記屈曲部４は自在に屈曲する。
【００１６】
前記灯具５について詳述する。この灯具５は、セード９と、このセード９に設けられた図示しないソケットに対して着脱自在に取り付けられる光源たる蛍光灯１０とを有して構成されている。なお、前記蛍光灯１０としては、例えばＦＰＬ型の蛍光灯等が用いられる。そして、前記セード９は、下方に開口部１１Ａが形成されたセード本体１１と、このセード本体１１の左端側に設けられると共に図示しない前記ソケットを収容する収容部１２とで一体に構成されている。そして、前記収容部１２は、前記屈曲部４の先端に対して取り付けられている。また、前記セード本体１１には、反射板１３が取り付けられていると共に、この反射板１３の下方に、前記蛍光灯１０の先端側を保持するための図示しない保持金具が設けられている。更に、前記セード本体１１の後上部には、透光部としての貫通孔１４が形成されていると共に、この貫通孔１４には、後方ほど高くなるように略平行に並んで形成されたルーバー１５が設けられている。なお、前記反射板１３は、前記貫通孔１４の内側には設けられておらず、前記セード本体１１の上部から前上部の内側を覆うように設けられている。
【００１７】
次に、本実施形態の作用について説明する。まず、使用者は前記電気スタンド１を部屋の壁面近傍に設置された机等の天板上に置き、前記電気スタンド１の姿勢を図１及び図２の姿勢とし、図示しない電源プラグを図示しないコンセントに差し込む。なお、この際、前記電気スタンド１の後部が、前記壁面に対して比較的接近して対向するようにして前記電気スタンド１を設置する。そして、前記スイッチ７を操作することで、図示しない点灯回路によって前記蛍光灯１０が点灯する。この蛍光灯１０が点灯すると、この蛍光灯１０から放射された光によって、机上等が照射される。具体的には、前記蛍光灯１０から下方に放射された光によって机上等が直接照射されると共に、前記蛍光灯１０から上方に放射された光が前記反射板１３によって下方に反射されて机上等が照射される。なお、ここで言う下方とは、直下方だけを指すのでなく、前後左右の斜め下方を含むものである。
【００１８】
そして、前記蛍光灯１０から放射された光のうち、後上方に放射された光の一部は、前記貫通孔１４を通過し、前記灯具５のセード本体１１から後上方に放出される。この時、前記電気スタンド１の後部が前記壁面の近傍に対向して設置されていることで、前記貫通孔１４を通過した光が前記壁面で乱反射し、前記机上の広い空間を間接的に照明することになる。即ち、前記蛍光灯１０からの直接光及び前記反射板１３で反射した光により、前記机上等が明るく照明される（直接照明）と共に、この直接照明される領域の周囲が、前記蛍光灯１０の後上方に放射されて前記壁面で乱反射した光により柔らかく照明される（間接照明）。このため、前記机上等における作業領域を充分明るく照明することができるばかりでなく、その周囲も照明されることで、従来の電気スタンドに比べて作業領域とその周囲の照度差を小さくし、使用者の目の負担を軽減することができる。
【００１９】
なお、前述したように、前記セード本体１１は下方に開口部１１Ａが形成されていると共に、後上部に前記貫通孔１４が形成されていることで、前記蛍光灯１０が発する熱でこの蛍光灯１０の周囲が熱されたとしても、この蛍光灯１０の周囲の空気が熱されて上昇し、前記セード本体１１の下方から前記貫通孔１４を経て前記灯具５外へ抜ける気流が形成されることで、前記蛍光灯１０及びその周囲が放熱される。
【００２０】
以上のように、本発明は、腕体６の先端に設けられた灯具５のセード本体１１の後上部に透光部としての貫通孔１４を設け、前記灯具５に取り付けられた光源としての蛍光灯１０が下方を照射するように、前記セード本体１１の下方の開口部１１Ａが下を向いた状態で、前記蛍光灯１０を点灯することで、机上等の作業領域が充分明るく照明されると共に、この作業領域の周囲が、前記蛍光灯１０から後上方に放射されて前記貫通孔１４を通過し壁面等で乱反射した光によって間接的に照明され、これによって、作業領域だけでなくその周囲も柔らかく照明し、作業領域とその周囲の照度差を小さくして使用者の目の負担を軽減することができるものである。また、本発明は、前記透光部を貫通孔１４とすることで、前記蛍光灯１０による間接照明と同時に、この蛍光灯１０及びその周囲の放熱も同時に行うことができるものである。
【００２１】
次に、本発明の第二の実施形態について、図４に基づいて説明する。なお、本実施形態において、上記第一の実施形態と共通する部分については同一の符号を付し、その説明を省略する。また、図４において、図面の左側が前である。灯具２１は、セード２２と、このセード２２に設けられた図示しないソケットに対して着脱自在に取り付けられる光源たる蛍光灯１０とを有して構成されている。そして、前記セード２２は、下方に開口部２３Ａが形成されたセード本体２３と、このセード本体２３の左端側に設けられると共に図示しない前記ソケットを収容する収容部２４とで一体に構成されている。また、前記セード本体２３には、金属板等からなる反射板２５が取り付けられていると共に、この反射板２５の下方に、前記蛍光灯１０の先端側を保持するための図示しない保持金具が設けられている。更に、前記セード本体２３の後上部には、透光部としての貫通孔２６が形成されている。なお、前記反射板２５は、前記貫通孔２６に対応する位置に複数のルーバー２７を切り起こして一体に構成している。そして、このように前記ルーバー２７を切り起こすことで、前記反射板２５の後上部に、前記貫通孔２６に対応する貫通孔２８が形成されている。なお、本実施形態の作用は上記第一の実施形態の作用とほぼ共通するので、その説明を省略する。
【００２２】
次に、本発明の第三の実施形態について、図５に基づいて説明する。なお、本実施形態において、上記各実施形態と共通する部分については同一の符号を付し、その説明を省略する。また、図５において、図面の左側が前である。灯具３１は、セード３２と、このセード３２に設けられた図示しないソケットに対して着脱自在に取り付けられる光源たる蛍光灯１０とを有して構成されている。そして、前記セード３２は、下方に開口部３３Ａが形成されたセード本体３３と、このセード本体３３の左端側に設けられると共に図示しない前記ソケットを収容する収容部３４とで一体に構成されている。また、前記セード本体３３には、反射板３５が取り付けられていると共に、この反射板３５の下方に、前記蛍光灯１０の先端側を保持するための図示しない保持金具が設けられている。更に、前記セード本体３３の後上部には貫通孔３６が形成されていると共に、この貫通孔３６には、透明又は半透明に形成された透光部としての窓部３７が取り付けられている。なお、前記反射板３５は、前記窓部３７の内側には設けられておらず、前記セード本体３３の上部から前上部の内側を覆うように設けられている。
【００２３】
次に、本実施形態の作用について説明する。前記蛍光灯１０を点灯させると、この蛍光灯１０から放射された光によって、机上等が照射される。具体的には、前記蛍光灯１０から下方に放射された光によって机上等が直接照射されると共に、前記蛍光灯１０から上方に放射された光が前記反射板３５によって下方に反射されて机上等が照射される。そして、前記蛍光灯１０から放射された光のうち、後上方に放射された光の一部は、前記窓部３７を通過し、前記灯具３１のセード本体３３から後上方に放出される。この時、前記窓部３７を通過した光が前記灯具３１の後方の壁面で乱反射し、前記机上の広い空間を間接的に照明することになる。即ち、前記蛍光灯１０からの直接光及び前記反射板３５で反射した光により、前記机上等が明るく照明される（直接照明）と共に、この直接照明される領域の周囲が、前記蛍光灯１０の後上方に放射されて前記壁面で乱反射した光により柔らかく照明される（間接照明）。このため、前記机上等における作業領域を充分明るく照明することができるばかりでなく、その周囲も照明されることで、従来の電気スタンドに比べて作業領域とその周囲の照度差を小さくし、使用者の目の負担を軽減することができる。
【００２４】
以上のように、本発明は、腕体６の先端に設けられた灯具３１のセード本体３３の後上部に透光部としての窓部３７を設け、前記灯具３１に取り付けられた光源としての蛍光灯１０が下方を照射するように、前記セード本体３３の下方の開口部３３Ａが下を向いた状態で、前記蛍光灯１０を点灯することで、机上等の作業領域が充分明るく照明されると共に、この作業領域の周囲が、前記蛍光灯１０から後上方に放射されて前記窓部３７を通過し壁面等で乱反射した光によって間接的に照明され、これによって、作業領域だけでなくその周囲も柔らかく照明し、作業領域とその周囲の照度差を小さくして使用者の目の負担を軽減することができるものである。
【００２５】
次に、本発明の第四の実施形態について、図６に基づいて説明する。なお、本実施形態において、上記各実施形態と共通する部分については同一の符号を付し、その説明を省略する。また、図６において、図面の左側が前である。灯具４１は、セード４２と、このセード４２に設けられた図示しないソケットに対して着脱自在に取り付けられる光源たる蛍光灯１０とを有して構成されている。そして、前記セード４２は、下方に開口部４３Ａが形成されたセード本体４３と、このセード本体４３の左端側に設けられると共に図示しない前記ソケットを収容する収容部４４とで一体に構成されている。また、前記セード本体４３には、第一の反射板４５が取り付けられていると共に、この第一の反射板４５の下方に、前記蛍光灯１０の先端側を保持するための図示しない保持金具が設けられている。更に、前記セード本体４３及び前記収容部４４の後下部には、第二の反射板４６を有する反射部４７が取付部４８を介して取り付けられている。なお、前記反射部４７は、前記蛍光灯１０から放射された光を後上方に反射することができる角度に設定されている。また、前記セード本体４３の開口部４３Ａの後下縁は、前下縁よりも高く形成されている。
【００２６】
次に、本実施形態の作用について説明する。前記蛍光灯１０を点灯させると、この蛍光灯１０から放射された光によって、机上等が照射される。具体的には、前記蛍光灯１０から下方に放射された光によって机上等が直接照射されると共に、前記蛍光灯１０から上方に放射された光が前記第一の反射板４５によって下方に反射されて机上等が照射される。そして、前記蛍光灯１０から放射された光のうち、後下方に放射された光の一部は、前記反射部４７の第二の反射板４６で反射し、前記灯具４１のセード本体４３の後下方から後上方に放出される。この時、前記反射部４７の第二の反射板４６で反射した光が前記灯具４１の後方の壁面で乱反射し、前記机上の広い空間を間接的に照明することになる。即ち、前記蛍光灯１０からの直接光及び前記第一の反射板４５で反射した光により、前記机上等が明るく照明される（直接照明）と共に、この直接照明される領域の周囲が、前記蛍光灯１０の後上方に放射されて前記壁面で乱反射した光により柔らかく照明される（間接照明）。このため、前記机上等における作業領域を充分明るく照明することができるばかりでなく、その周囲も照明されることで、従来の電気スタンドに比べて作業領域とその周囲の照度差を小さくし、使用者の目の負担を軽減することができる。
【００２７】
以上のように、本発明は、腕体６の先端に設けられた灯具４１のセード本体４３の後下方に第二の反射板４６を有する反射部４７を設け、前記灯具４１に取り付けられた光源としての蛍光灯１０が下方を照射するように、前記セード本体４３の下方の開口部４３Ａが下を向いた状態で、前記蛍光灯１０を点灯することで、机上等の作業領域が充分明るく照明されると共に、この作業領域の周囲が、前記蛍光灯１０から後下方に放射されて前記反射部４７の第二の反射板４６で反射し壁面等で乱反射した光によって間接的に照明され、これによって、作業領域だけでなくその周囲も柔らかく照明し、作業領域とその周囲の照度差を小さくして使用者の目の負担を軽減することができるものである。
【００２８】
次に、本発明の第五の実施形態について、図７に基づいて説明する。なお、本実施形態において、上記各実施形態と共通する部分については同一の符号を付し、その説明を省略する。また、図７において、図面の左側が前である。灯具５１は、セード５２と、このセード５２に設けられた図示しないソケットに対して着脱自在に取り付けられる第一の光源たる蛍光灯１０とを有して構成されている。そして、前記セード５２は、下方に開口部５３Ａが形成されたセード本体５３と、このセード本体５３の左端側に設けられると共に図示しない前記ソケットを収容する収容部５４とで一体に構成されている。また、前記セード本体５３には、反射板５５が取り付けられていると共に、この反射板５５の下方に、前記蛍光灯１０の先端側を保持するための図示しない保持金具が設けられている。更に、前記蛍光灯１０が発する熱の影響を受けにくい前記収容部５４の後上部には、第二の光源としての複数の高輝度発光ダイオード５６が設けられている。なお、この高輝度発光ダイオード５６は、光を後上方に放射することができるように設けられている。
【００２９】
次に、本実施形態の作用について説明する。前記蛍光灯１０を点灯させると、この蛍光灯１０から放射された光によって、机上等が照射される。具体的には、前記蛍光灯１０から下方に放射された光によって机上等が直接照射されると共に、前記蛍光灯１０から上方に放射された光が前記反射板５５によって下方に反射されて机上等が照射される。そして、前記蛍光灯１０の点灯と同時に前記高輝度発光ダイオード５６も点灯し、この高輝度発光ダイオード５６から放射された光が前記灯具５１の後方の壁面で乱反射し、前記机上の広い空間を間接的に照明することになる。即ち、前記蛍光灯１０からの直接光及び前記反射板５５で反射した光により、前記机上等が明るく照明される（直接照明）と共に、この直接照明される領域の周囲が、前記高輝度発光ダイオード５６から後上方に放射されて前記壁面で乱反射した光により柔らかく照明される（間接照明）。このため、前記机上等における作業領域を充分明るく照明することができるばかりでなく、その周囲も照明されることで、従来の電気スタンドに比べて作業領域とその周囲の照度差を小さくし、使用者の目の負担を軽減することができる。また、第二の光源として、小型で長寿命の高輝度発光ダイオード５６を用いることで、前記灯具５１を殆ど大型化させることなく、第二の光源を用いることができるばかりでなく、前記第二の光源を交換する必要も殆どないので、この第二の光源を前記灯具５１に組み込んでしまうこともできる。
【００３０】
以上のように、本発明は、腕体６の先端に設けられた灯具５１のセード５２の収容部５４に第二の光源としての高輝度発光ダイオード５６を後上方に光を放射するように設け、前記灯具５１に取り付けられた第一の光源としての蛍光灯１０が下方を照射するように、前記セード本体５３の下方の開口部５３Ａが下を向いた状態で、前記蛍光灯１０を点灯することで、この蛍光灯１０によって机上等の作業領域が充分明るく照明されると共に、この作業領域の周囲が、前記高輝度発光ダイオード５６から後上方に放射されて壁面等で乱反射した光によって間接的に照明され、これによって、作業領域だけでなくその周囲も柔らかく照明し、作業領域とその周囲の照度差を小さくして使用者の目の負担を軽減することができるものである。また、前記第二の光源として小型で長寿命の高輝度発光ダイオード５６を用いることで、前記灯具５１，ひいては前記電気スタンド１の大型化を最小限に抑えつつ、前記第二の光源を前記灯具５１に組み込んで、交換する必要性を殆ど無くすことができる。
【００３１】
次に、本発明の第六の実施形態について、図８に基づいて説明する。なお、本実施形態において、上記各実施形態と共通する部分については同一の符号を付し、その説明を省略する。また、図８において、図面の左側が前である。６１は電気スタンドである。この電気スタンド６１は、厚い平板状の鋼板等によって形成された基部２と、この基部２の後方に立設された支柱部６２と、この支柱部６２の上部に設けられた屈曲部４と、この屈曲部４の先端に設けられた灯具６３とで構成されている。なお、前記支柱部６２と屈曲部４とで腕体６４が構成されている。そして、前記支柱部６２の後上部には、第二の光源としての複数の高輝度発光ダイオード６５が設けられており、また、前記支柱部６２の内部には、第一の光源としての蛍光灯１０及び前記高輝度発光ダイオード６５を点灯させるための図示しない点灯回路が収容されていると共に、前記支柱部６２の前方には、前記点灯回路のためのスイッチ７が設けられている。なお、前記高輝度発光ダイオード６５は、後上方に光を放射するように、前記支柱部６２に取り付けられている。
【００３２】
灯具６３は、セード６６と、このセード６６に設けられた図示しないソケットに対して着脱自在に取り付けられる前記蛍光灯１０とを有して構成されている。そして、前記セード６６は、下方に開口部６７Ａが形成されたセード本体６７と、このセード本体６７の左端側に設けられると共に図示しない前記ソケットを収容する収容部６８とで一体に構成されている。また、前記セード本体６７には、反射板６９が取り付けられていると共に、この反射板６９の下方に、前記蛍光灯１０の先端側を保持するための図示しない保持金具が設けられている。
【００３３】
次に、本実施形態の作用について説明する。前記スイッチ７を操作して前記蛍光灯１０を点灯させると、この蛍光灯１０から放射された光によって、机上等が照射される。具体的には、前記蛍光灯１０から下方に放射された光によって机上等が直接照射されると共に、前記蛍光灯１０から上方に放射された光が前記反射板６９によって下方に反射されて机上等が照射される。そして、前記蛍光灯１０の点灯と同時に前記高輝度発光ダイオード６５も点灯し、この高輝度発光ダイオード６５から放射された光が前記支柱部６２の後方の壁面で乱反射し、前記机上の広い空間を間接的に照明することになる。即ち、前記蛍光灯１０からの直接光及び前記反射板６９で反射した光により、前記机上等が明るく照明される（直接照明）と共に、この直接照明される領域の周囲が、前記高輝度発光ダイオード６５から後上方に放射されて前記壁面で乱反射した光により柔らかく照明される（間接照明）。このため、前記机上等における作業領域を充分明るく照明することができるばかりでなく、その周囲も照明されることで、従来の電気スタンドに比べて作業領域とその周囲の照度差を小さくし、使用者の目の負担を軽減することができる。また、第二の光源として、小型で長寿命の高輝度発光ダイオード６５を用いることで、前記支柱部６２、ひいては電気スタンド６１を殆ど大型化させることなく、第二の光源を用いることができるばかりでなく、前記第二の光源を交換する必要も殆どないので、この第二の光源を前記支柱部６２に組み込んでしまうこともできる。
【００３４】
以上のように、本発明は、腕体６４の後上部に第二の光源としての高輝度発光ダイオード６５を後上方に光を放射するように設け、前記腕体６４の先端に設けられた灯具６３に取り付けられた第一の光源としての蛍光灯１０が下方を照射するように、前記セード本体６７の下方の開口部６７Ａが下を向いた状態で、前記蛍光灯１０を点灯することで、この蛍光灯１０によって机上等の作業領域が充分明るく照明されると共に、この作業領域の周囲が、前記高輝度発光ダイオード６５から後上方に放射されて壁面等で乱反射した光によって間接的に照明され、これによって、作業領域だけでなくその周囲も柔らかく照明し、作業領域とその周囲の照度差を小さくして使用者の目の負担を軽減することができるものである。また、前記第二の光源として小型で長寿命の高輝度発光ダイオード６５を用いることで、前記支柱部６２，ひいては前記電気スタンド６１の大型化を最小限に抑えつつ、前記第二の光源を前記支柱部６２に組み込んで、交換する必要性を殆ど無くすことができる。
【００３５】
なお、本発明は以上の実施形態に限定されるものではなく、発明の要旨の範囲内で種々の変形実施が可能である。例えば、上記第三の実施形態において、前記窓部に貫通孔を設けてもよい。また、前記第四の実施形態において、前記反射部の位置は、前記蛍光灯からの光を前記灯具の後上方に反射させることができる位置及び形状であればよく、この条件を満たすのであれば、例えば前記灯具の前方に前記反射部を設けてもよい。また、前記第五の実施形態において、前記第二の光源として高輝度発光ダイオードを用いたが、これ以外の光源、例えば他の電球や蛍光灯等を用いてもよい。また、第六の実施形態において、前記第二の光源としての発光ダイオードを前記腕体に設けたが、これ以外の個所、例えば基部に設けてもよい。また、上記第五、第六の実施形態において、前記第一の光源としての蛍光灯と第二の光源としての高輝度発光ダイオードとを同時に点灯するように構成したが、前記第二の光源を前記第一の光源と独立して点灯／消灯させることができるようにしてもよい。更に、上記各実施形態において、間接照明のために光を照射する対象として部屋の壁面について述べたが、照射対象はこれに限定されるものではなく、オフィスにおけるパーティションや、学習机等における棚等が対象となり得る。
【図面の簡単な説明】
【００３６】
【図１】本発明の第一の実施形態を示す電気スタンドの正面図である。
【図２】同上、Ａ−Ａ断面図である。
【図３】同上、図２における要部を拡大した断面図である。
【図４】本発明の第二の実施形態を示す電気スタンドの要部の拡大断面図である。
【図５】本発明の第三の実施形態を示す電気スタンドの要部の拡大断面図である。
【図６】本発明の第四の実施形態を示す電気スタンドの要部の拡大断面図である。
【図７】本発明の第五の実施形態を示す電気スタンドの要部の拡大断面図である。
【図８】本発明の第六の実施形態を示す電気スタンドの断面図である。
【符号の説明】
【００３７】
１，６１  電気スタンド
５，２１，３１，４１，５１，６３  灯具
６，６４  腕体
１０  蛍光灯（光源、第一の光源）
１４，２６  貫通孔（透光部）
３７  窓部（透光部）
４７  反射部
５６，６５  高輝度発光ダイオード（第二の光源）
【図１】
2006244929.tif 000003
【図２】
2006244929.tif 000004
【図３】
2006244929.tif 000005
【図４】
2006244929.tif 000006
【図５】
2006244929.tif 000007
【図６】
2006244929.tif 000008
【図７】
2006244929.tif 000009
【図８】
2006244929.tif 000010